(57)【要約】【課題】  本発明の目的とするところは、帯状の印刷回路ボードに複数のＬＥＤパッケージが実装された形の発光モジュールが適用された発光装置及びその発光装置を具備した液晶ディスプレイにおいて、発光装置の光均一度を改善することにある。【解決手段】  本発明の一実施形態に係る発光装置は、４つの角領域を有する光源支持部を含む支持部材と、光源支持部の一側面に装着され、１つ以上の発光モジュールで構成された発光ユニットとして、各発光モジュールは、光源支持部に装着された帯状の印刷回路ボード、及び印刷回路ボードに装着され、光を生成する複数の光源パッケージを含む発光ユニットとを含み、発光ユニットは、いずれか１つの発光モジュールの一部分を構成し、支持部材の４角領域に向かって伸長された４つの角側伸長部を含む。【選択図】      図１
2014236218.tif 000002
【特許請求の範囲】
【請求項１】
４つの角領域を有する光源支持部を含む支持部材と、
前記光源支持部の一側面に装着され、１つ以上の発光モジュールで構成された発光ユニットとして、各発光モジュールは、前記光源支持部に装着された帯状の印刷回路ボード、及び前記印刷回路ボードに装着され、光を生成する複数の光源パッケージを含む発光ユニットと
を含み、
前記発光ユニットは、いずれか１つの発光モジュールの一部分を構成し、前記支持部材の４角領域に向かって伸長された４つの角側伸長部を含む発光装置。
【請求項２】
前記角側伸長部は、対応する角領域を２領域に分割する方向に沿って伸長されることを特徴とする請求項１に記載の発光装置。
【請求項３】
前記支持部材の光源支持部は、長方形の板状を有することを特徴とする請求項１に記載の発光装置。
【請求項４】
前記４つの角側伸長部は、１つの発光モジュールに具備され、
前記発光モジュールは、
前記光源支持部の幅方向又は長手方向に沿って伸長された胴体部と、
前記胴体部の一端から前記光源支持部の第１及び第２角領域に向かって伸長された第１及び第２角側伸長部と、
前記胴体部の他端から前記光源支持部の第３及び第４角領域に向かって伸長された第３及び第４角側伸長部と
を含むことを特徴とする請求項３に記載の発光装置。
【請求項５】
前記発光ユニットは、第１発光モジュール及び第２発光モジュールを含み、
前記第１発光モジュールは、
一方向に沿って伸長された第１胴体部と、
前記第１胴体部の一端から前記光源支持部の第１角領域に向かって伸長された第１角側伸長部と、
前記第１胴体部の他端から前記光源支持部の第２角領域に向かって伸長された第２角側伸長部と
を含み、
前記第２発光モジュールは、
前記第１発光モジュールの第１胴体部と平行して配置された第２胴体部と、
前記第２胴体部の一端から前記光源支持部の第３角領域に向かって伸長された第３角側伸長部と、
前記第２胴体部の他端から前記光源支持部の第４角領域に向かって伸長された第４角側伸長部と
を含むことを特徴とする請求項３に記載の発光装置。
【請求項６】
前記発光ユニットは、角側伸長部を具備していない少なくとも１つの追加発光モジュールを含むことを特徴とする請求項５に記載の発光装置。
【請求項７】
前記光源パッケージは、光源として発光ダイオードを使用することを特徴とする請求項１に記載の発光装置。
【請求項８】
４つの角領域を有する光源支持部を含む支持部材と、
前記支持部材の前方に配置されて前記支持部材をカバーするカバー部材と、
前記支持部材と前記カバー部材との間に配置されて映像を表示する液晶パネルと、
前記光源支持部の内側面に装着され、１つ以上の発光モジュールで構成された発光ユニットとして、各発光モジュールは、前記光源支持部に装着された帯状の印刷回路ボード、及び前記印刷回路ボードに装着され、前記液晶パネルに光を提供する複数の光源パッケージを含む発光ユニットと
を含み、
前記発光ユニットは、    
いずれか１つの発光モジュールの一部分を構成し、前記光源支持部の４角領域に向かって伸長された４つの角側伸長部を含む液晶ディスプレイ。
【請求項９】
光源支持部を含む支持部材と、
前記光源支持部の一側面に装着され、１つ以上の発光モジュールで構成された発光ユニットとして、各発光モジュールは、前記光源支持部に装着された帯状の印刷回路ボード、及び前記印刷回路ボードに装着され、光を提供する複数の光源パッケージを含む発光ユニットと
を含み、
前記支持部材の前記光源支持部は、不均一の深さを有し、中央領域で最大の深さを有するように凹状に形成された発光装置。
【請求項１０】
前記光源支持部は、曲面板（ｃｕｒｖｅｄ  ｐｌａｔｅ）状を有することを特徴とする請求項９に記載の発光装置。
【請求項１１】
前記光源支持部は、少なくとも１つの折曲線によって２以上の部分で折曲した平板（ｆｌａｔ  ｐｌａｔｅ）状を有することを特徴とする請求項９に記載の発光装置。
【請求項１２】
前記光源支持部は、１つの折曲線によって第１支持部及び第２支持部で折曲した平板状を有し、前記第１支持部及び前記第２支持部のそれぞれに少なくとも１つの発光モジュールが装着されることを特徴とする請求項１１に記載の発光装置。
【請求項１３】
前記光源支持部は、２つの折曲線によって第１支持部、第２支持部及び第３支持部で折曲した平板状を有し、前記第１支持部、前記第２支持部及び前記第３支持部のそれぞれには、少なくとも１つの発光モジュールが装着されることを特徴とする請求項１１に記載の発光装置。
【請求項１４】
前記支持部材の光源支持部は、４つの角領域を有し、
前記発光ユニットは、いずれか１つの発光モジュールの一部分を構成し、前記４つの角領域に向かって伸長された４つの角側伸長部を含むことを特徴とする請求項９に記載の発光装置。
【請求項１５】
４つの角領域を有する光源支持部を含む支持部材と、
前記支持部材の前方に配置されて前記支持部材をカバーするカバー部材と、
前記支持部材と前記カバー部材との間に配置されて映像を表示する液晶パネルと、
前記光源支持部の内側面に装着され、１つ以上の発光モジュールで構成された発光ユニットとして、各発光モジュールは、前記光源支持部に装着された帯状の印刷回路ボード、及び前記印刷回路ボードに装着され、前記液晶パネルに光を提供する複数の光源パッケージを含む発光ユニットと
を含み、
前記支持部材の前記光源支持部は、一方向に沿って不均一の深さを有し、中央領域で最大の深さを有するように凹状に形成された液晶ディスプレイ。
【発明の詳細な説明】
【技術分野】
【０００１】
本発明は、発光装置及びそれを具備した液晶ディスプレイに関し、より詳細には、発光ダイオードを光源として使用する発光装置及びそれを具備した液晶ディスプレイに関する。
【背景技術】
【０００２】
発光ダイオード（ＬＥＤ：Ｌｉｇｈｔ  Ｅｍｉｔｔｉｎｇ  Ｄｉｏｄｅ）は、光を発する半導体素子として、高いエネルギー効率、長寿命等の長所があり、多様な産業分野で活用されている。
【０００３】
発光ダイオードを光源として使用する発光モジュールのうちの１つは、長い帯状の印刷回路ボード（ＰＣＢ：Ｐｒｉｎｔｅｄ  Ｃｉｒｃｕｉｔ  Ｂｏａｒｄ）に発光ダイオード、蛍光体、電極等で構成されたＬＥＤパッケージが複数実装された形の発光モジュールである。一例として、そのような発光モジュールは、液晶ディスプレイで液晶パネルの後方に配置された支持部材（世間でいうボトムシャーシと称される部材）の内側面に装着され、液晶パネルに直下方式で光を提供するように適用されてよい。
【０００４】
このような適用方式の場合、支持部材の４角領域または中央領域で光の均一度が低いという問題点が頻繁に生じている。
【先行技術文献】
【特許文献】
【０００５】
【特許文献１】日本特開第２０１２−１９０６６２号公報
【特許文献２】日本特開第２００７−３１７４２３号公報
【特許文献３】韓国特開第２００６−０１２１４４２号公報
【特許文献４】韓国特開第２０１１−００６３２７４号公報
【発明の概要】
【発明が解決しようとする課題】
【０００６】
そこで、本発明は、上記問題に鑑みてなされたものであり、本発明の目的とするところは、帯状の印刷回路ボードに複数のＬＥＤパッケージが実装された形の発光モジュールが適用された発光装置及びその発光装置を具備した液晶ディスプレイにおいて、発光装置の光均一度を改善することにある。
【課題を解決するための手段】
【０００７】
前記目的を達成するために、本発明は、４つの角領域を有する光源支持部を含む支持部材と、前記光源支持部の一側面に装着され、１つ以上の発光モジュールで構成された発光ユニットとして、各発光モジュールは、前記光源支持部に装着された帯状の印刷回路ボード（ＰＣＢ）、及び前記印刷回路ボードに装着され、光を生成する複数の光源パッケージを含む発光ユニットとを含み、前記発光ユニットは、いずれか１つの発光モジュールの一部分を構成し、前記支持部材の４角領域に向かって伸長された４つの角側伸長部を含む発光装置を提供する。
【０００８】
前記角側伸長部は、対応する角領域を２領域に分割する方向に沿って伸長されてよい。
【０００９】
前記支持部材の光源支持部は、長方形の板状を有してよい。
【００１０】
前記４つの角側伸長部は、１つの発光モジュールに具備され、前記発光モジュールは、前記光源支持部の幅方向又は長手方向に沿って伸長された胴体部と、前記胴体部の一端から前記光源支持部の第１及び第２角領域に向かって伸長された第１及び第２角側伸長部と、前記胴体部の他端から前記光源支持部の第３及び第４角領域に向かって伸長された第３及び第４角側伸長部とを含んでよい。
【００１１】
前記発光ユニットは、第１発光モジュール及び第２発光モジュールを含んでよく、前記第１発光モジュールは、一方向に沿って伸長された第１胴体部と、前記第１胴体部の一端から前記光源支持部の第１角領域に向かって伸長された第１角側伸長部と、前記第１胴体部の他端から前記光源支持部の第２角領域に向かって伸長された第２角側伸長部とを含んでよく、前記第２発光モジュールは、前記第１発光モジュールの第１胴体部と平行して配置された第２胴体部と、前記第２胴体部の一端から前記光源支持部の第３角領域に向かって伸長された第３角側伸長部と、前記第２胴体部の他端から前記光源支持部の第４角領域に向かって伸長された第４角側伸長部とを含んでよい。
【００１２】
前記発光ユニットは、角側伸長部を具備していない少なくとも１つの追加発光モジュールを含んでよい。
【００１３】
前記光源パッケージは、光源として発光ダイオードを使用してよい。
【００１４】
前記目的を達成するために、本発明は、更に、４つの角領域を有する光源支持部を含む支持部材と、前記支持部材の前方に配置されて前記支持部材をカバーするカバー部材と、前記支持部材と前記カバー部材との間に配置されて映像を表示する液晶パネルと、前記光源支持部の内側面に装着され、１つ以上の発光モジュールで構成された発光ユニットとして、各発光モジュールは、前記光源支持部に装着された帯状の印刷回路ボード（ＰＣＢ）、及び前記印刷回路ボードに装着され、前記液晶パネルに光を提供する複数の光源パッケージを含む発光ユニットとを含み、前記発光ユニットは、いずれか１つの発光モジュールの一部分を構成し、前記光源支持部の４角領域に向かって伸長された４つの角側伸長部を含む液晶ディスプレイを提供する。
【００１５】
前記目的を達成するために、本発明は、更に、光源支持部を含む支持部材と、前記光源支持部の一側面に装着され、１つ以上の発光モジュールで構成された発光ユニットとして、各発光モジュールは、前記光源支持部に装着された帯状の印刷回路ボード（ＰＣＢ）、及び前記印刷回路ボードに装着され、光を提供する複数の光源パッケージを含む発光ユニットとを含み、前記支持部材の前記光源支持部は、不均一の深さを有し、中央領域で最大の深さを有するように凹状に形成された発光装置を提供する。
【００１６】
前記光源支持部は、曲面板（ｃｕｒｖｅｄ  ｐｌａｔｅ）状を有してよい。
【００１７】
前記光源支持部は、少なくとも１つの折曲線によって２以上の部分で折曲した平板（ｆｌａｔ  ｐｌａｔｅ）状を有してよい。
【００１８】
前記光源支持部は、１つの折曲線によって第１支持部及び第２支持部で折曲した平板状を有し、前記第１支持部及び前記第２支持部のそれぞれに少なくとも１つの発光モジュールが装着されてよい。
【００１９】
前記光源支持部は、２つの折曲線によって第１支持部、第２支持部及び第３支持部で折曲した平板状を有し、前記第１支持部、前記第２支持部及び前記第３支持部のそれぞれには、少なくとも１つの発光モジュールが装着されてよい。
【００２０】
前記支持部材の光源支持部は、４つの角領域を有し、前記発光ユニットは、いずれか１つの発光モジュールの一部分を構成し、前記４つの角領域に向かって伸長された４つの角側伸長部を含んでよい。
【００２１】
前記目的を達成するために、本発明は、更に、４つの角領域を有する光源支持部を含む支持部材と、前記支持部材の前方に配置されて前記支持部材をカバーするカバー部材と、前記支持部材と前記カバー部材との間に配置されて映像を表示する液晶パネルと、前記光源支持部の内側面に装着され、１つ以上の発光モジュールで構成された発光ユニットとして、各発光モジュールは、前記光源支持部に装着された帯状の印刷回路ボード（ＰＣＢ）、及び前記印刷回路ボードに装着され、前記液晶パネルに光を提供する複数の光源パッケージを含む発光ユニットとを含み、前記支持部材の前記光源支持部は、一方向に沿って不均一の深さを有し、中央領域で最大の深さを有するように凹状に形成された液晶ディスプレイを提供する。
【図面の簡単な説明】
【００２２】
【図１】本発明の第１実施形態に係る発光装置を概略に示す斜視図である。
【図２】図１の発光装置の平面図である。
【図３】図２のＩ−Ｉ線に沿った断面図である。
【図４】図１に示す光源装置と類似する構造を有する一方で、角側伸長部のない通常の発光装置を撮影した輝度写真である。
【図５】図１に示す発光装置を撮影した輝度写真である。
【図６】図２に類似する図として、本発明の第２実施形態に係る発光装置を概略に示す平面図である。
【図７】図６に類似する図として、本発明の第３実施形態に係る発光装置を概略に示す平面図である。
【図８】図７に類似する図として、本発明の第４実施形態に係る発光装置を概略に示す平面図である。
【図９】第１実施形態に係る発光装置が適用された液晶ディスプレイを概略に示す分解斜視図である。
【図１０】本発明の第５実施形態に係る発光装置を概略に示す斜視図である。
【図１１】ＩＩ−ＩＩ線に沿った図１０の断面図である。
【図１２】本発明の第６実施形態に係る発光装置を概略に示す斜視図である。
【図１３】本発明の第７実施形態に係る発光装置を概略に示す斜視図である。
【図１４】第５実施形態に係る発光装置が適用された液晶ディスプレイを概略に示す分解斜視図である。
【図１５】本発明の第８実施形態に係る発光装置を概略に示す斜視図である。
【発明を実施するための形態】
【００２３】
以下に添付図面を参照しながら、本発明の好適な実施形態について詳細に説明する。
【００２４】
図１は、本発明の第１実施形態に係る発光装置の斜視図であり、図２は、図１の発光装置の平面図である。
【００２５】
図１及び図２を参照すると、本発明の第１実施形態に係る発光装置１００は、支持部材１１０及び発光ユニット１２０を含む。
【００２６】
支持部材１１０は、深さが浅く上側が開放された四角のボックス状を有する。より具体的に、支持部材１１０は、長方形の板状の光源支持部１１１と、その光源支持部１１１の周縁から伸長された側壁部１１２で構成される。
【００２７】
光源支持部１１１は、その一側面１１１ａに装着された発光ユニット１２０を支持する。側壁部１１２は、発光装置１００の内部空間を形成し、支持部材１１０をカバーする別の部材（図示せず）と結合されてよい。本実施形態において、側壁部１１２は、光源支持部１１１に対して垂直に形成されるが、対案として、実施形態で側壁部１１２は光源支持部１１１に対して鈍角で斜めに形成されてよい。
【００２８】
支持部材１１０の材質としては、多様な物質が採択されてよい。例として、支持部材１１０は、プラスチックのような非金属物質で形成されてよく、アルミニウムのような金属物質で形成されてよい。しかし、発光ユニット１２０から発せられる熱を効果的に放出するために、支持部材１１０は金属物質で形成されることが望ましい。
【００２９】
発光ユニット１２０は、支持部材１１０の光源支持部１１１の一側面１１１ａに装着され、本実施形態の場合、単に１つの発光モジュールで構成される。よって、第１実施形態に係る発光装置１００について説明するうえで、参照番号の「１２０」は発光ユニットを指す番号として使用したり、その発光ユニットを構成する唯一の発光モジュールを指す番号として使用することとする。
【００３０】
発光ユニット１２０を構成する唯一の発光モジュール１２０は、支持部材１１０の光源支持部１１１に装着された帯（ｓｔｒｉｐｅ）状の印刷回路ボード（ＰＣＢ）１３０及び印刷回路ボード１３０上に装着され、光を発生させる複数の光源パッケージ１４０を含む。
【００３１】
印刷回路ボード１３０は、その上面に実装された複数の光源パッケージ１４０を支持し、その光源パッケージ１４０に電力源（ｐｏｗｅｒ  ｓｏｕｒｃｅ：図示せず）から供給される電源を伝達する。
【００３２】
光源パッケージ１４０は、支持部材１１０の一側面１１１ａの向く方向（図１ではＺ方向）に向かって光を提供する。それぞれの光源パッケージ１４０の構造について、図２のＩ−Ｉ線に沿った断面図である図３を参照して次のように説明する。
【００３３】
図３に示すように、光源パッケージ１２０は、はんだ（Ｓ）を使用して上述の印刷回路ボード１３０に装着され、発光ダイオード１４１、蛍光体１４２、一対の電極１４３、１４４及びフレーム１４５を含む。
【００３４】
発光ダイオード１４１は、周知のように、光を生成する素子である。蛍光体１４２は、発光ダイオード１４１によって生成された特定色の光を発光装置１００の用途に適した別の色（例えば、ホワイトカラー）に変換する。なお、蛍光体１４２は、凸面レンズの形の外表面１４２ａを通じて光を広く拡散させる役割を担う。代案として、光源パッケージ１２０をカバーするように配置された光学レンズ（図示せず）が蛍光体１４２の光拡散機能の代わりをすることもできる。一対の電極１４３、１４４は、発光ダイオード１４１と印刷回路ボード１３０を電気的に接続するための部品であり、フレーム１４５は上述の発光ダイオード１４１、蛍光体１４２及び一対の電極１３４、１４４をパッケージングするための部品である。
【００３５】
図２を再び参照すると、発光モジュール１２０は、胴体部１２１と、胴体部１２１から伸長された４つの角側伸長部１２３、１２４、１２５、１２６を含む。
【００３６】
胴体部１２１は、支持部材１１０の長手方向（図２ではＸ方向）に沿って伸長される。代案として、胴体部１２１は、支持部材１１０の幅方向（図２ではＹ方向）に沿って配列されてよく、長手方向及び幅方向と異なる方向に沿って配列されてよい。
【００３７】
４つの角側伸長部１２３、１２４、１２５、１２６は、光源支持部１１１に形成される４つの角領域１１３、１１４、１１５、１１６にそれぞれ対応する。より具体的に、第１角側伸長部１２３は、光源支持部１１１の第１角領域１１３に対応し、第２角側伸長部１２４は、光源支持部１１１の第２角領域１１４に対応し、第３角側伸長部１２５は、光源支持部１１１の第３角領域１１５に対応し、第４角側伸長部１２６は、光源支持部１１１の第４角領域１１６に対応する。
【００３８】
第１角側伸長部１２３は、胴体部１２１の一端１２１ａから第１角領域１１３に向かって伸長される。より具体的に、第１角側伸長部１２３は、それに対応する第１角領域１１３を２領域１１３ａ、１１３ｂに分割する方向（α１）に沿って配列される。それによって、第１角側伸長部１２３は、第１角領域１１３の近くに配置され、第１角領域１１３における輝度を高くすることで、第１角領域１１３に暗部（ｄａｒｋ  ｒｅｇｉｏｎ）が現れることを防止する。
【００３９】
第２角側伸長部１２４は、胴体部１２１の一端１２１ａから第２角領域１１４に向かって伸長される。より具体的に、第２角側伸長部１２４は、それに対応する第２角領域１１４を２領域１１４ａ、１１４ｂに分割する方向（α２）に沿って配列される。それによって、第２角側伸長部１２４は、第２角領域１１４の近くに配置され、第２角領域１１４における輝度を高くすることで、第２角領域１１４に暗部が現れることを防止する。
【００４０】
第３角側伸長部１２５は、胴体部１２１の他端１２１ｂから第３角領域１１５に向かって伸長される。より具体的に、第３角側伸長部１２５は、それに対応する第３角領域１１５を２領域１１５ａ、１１５ｂに分割する方向（α３）に沿って配列される。それによって、第３角側伸長部１２５は、第３角領域１１５の近くに配置され、第３角領域１１５における輝度を高くすることで、第３角領域１１５に暗部が現れることを防止する。
【００４１】
第４角側伸長部１２６は、胴体部１２１の他端１２１ｂから第４角領域１１６に向かって伸長される。より具体的に、第４角側伸長部１２６は、それに対応する第４角領域１１６を２領域１１６ａ、１１６ｂに分割する方向（α４）に沿って配列される。それによって、第４角側伸長部１２６は、第４角領域１１６の近くに配置され、第４角領域１１６における輝度を高くすることで、第４角領域１１６に暗部が現れることを防止する。
【００４２】
このように、第１実施形態に係る発光装置１００の場合、発光モジュール１３０の一部分を構成しつつ、４つの角領域１１３、１１４、１１５、１１６に向かって伸長された４つの角側伸長部１２３、１２４、１２５、１２６を備えることで、４つの角領域１１３、１１４、１１５、１１６に暗部が現れる現象を防止することができる。
【００４３】
このような暗部防止の利点に関連し、図４及び図５を参照する。図４は、図１に示す光源装置と類似する構造を有する一方で、角側伸長部のない通常の発光装置を撮影した輝度写真であり、図５は、図１に示す発光装置を撮影した輝度写真である。図４でのように、通常の発光装置の場合には、４つの角領域１１３’、１１４’、１１５’、１１６’で暗部が現れる一方、図４のように、本発明に係る発光装置１００の場合には、４つの角領域１１３、１１４、１１５、１１６で実質的に暗部が現れていないことを確認することができる。
【００４４】
上述のように、第１実施形態に係る発光装置１００の場合には、発光ユニット２００がたった１つの発光モジュール２００で構成される。しかし、代案として、発光装置の場合、発光ユニットは２つ以上の発光モジュールで構成されてよい。図６ないし図８には、そのような代案としての発光装置が示されている。
【００４５】
まず、図２に類似する図として、本発明の第２実施形態に係る発光装置の平面図を示す図６について説明する。
【００４６】
図６を参照すると、上述の第１実施形態に係る発光装置１００と類似するように、本発明の第２実施形態に係る発光装置２００は、支持部材２１０及び発光ユニット２２０を含む。
【００４７】
支持部材２１０は、上述の実施形態の支持部材１１０と同一である。一方、発光ユニット２２０は、２つの発光モジュール２５０、２６０で構成されるということで、上述の実施形態の発光ユニット１２０と区別される。すなわち、発光ユニット２２０は、第１発光モジュール２５０及び第２発光モジュール２６０で構成される。
【００４８】
第１発光モジュール２５０は、光源支持部２１１の長手方向（図６ではＸ方向）に沿って伸長された第１胴体部２５１と、第１胴体部２５１の一端２５１ａから光源支持部２１１の第１角領域２１３に向かって伸長された第１角側伸長部２５３と、第１胴体部２５１の他端２５１ｂから光源支持部２１１の第２角領域２１５に向かって伸長された第２角側伸長部２５５を含む。
【００４９】
第２発光モジュール２６０は、光源支持部２１１の長手方向（図６ではＸ方向）に沿って伸長された第２胴体部２６１と、第２胴体部２６１の一端２６１ａから光源支持部２１１の第３角領域２１４に向かって伸長された第３角側伸長部２６４と、第２胴体部２６１の他端２６１ｂから光源支持部２１１の第４角領域２１６に向かって伸長された第４角側伸長部２６６を含む。
【００５０】
このように、発光装置２００は、第１発光モジュール２５０の一部分を構成しつつ、第１及び第２角領域２１３、２１５に向かって伸長された第１及び第２角側伸長部２５３、２５５と第２発光モジュール２６０の一部分を構成しつつ、第３及び第４角領域２１４、２１６に向かって伸長された第３及び第４角側伸長部２６４、２６６を備えることで、支持部材２１０の４角領域２１３、２１４、２１５、２１６で暗部領域が現れる現象を防止する。
【００５１】
次に、図６に類似する図として、本発明の第３実施形態に係る発光装置の平面図を示す図７について説明する。
【００５２】
図７を参照すると、上述の第２実施形態に係る発光装置２００と類似するように、本発明の第３実施形態に係る発光装置３００は支持部材３１０及び発光ユニット３２０を含む。
【００５３】
支持部材３１０は、図６に示す支持部材２１０と同一である。一方、発光ユニット３２０は、第１発光モジュール３５０と第２発光モジュール３６０との間に配列された第３発光モジュール３７０を更に含むことで、上述の図６の発光ユニット２２０と区別される。このような第３発光モジュール３７０は、第１発光モジュール３５０の第１胴体部３５１及び第２発光モジュール３６０の第２胴体部３６１に平行して、すなわち、光源支持部３１１の長手方向に沿って配列され、第１及び第２発光モジュール３５０、３６０と違って、如何なる角側伸長部を具備していない。
【００５４】
図６の発光装置２００と同様に、発光装置３００は、第１発光モジュール３５０の一部分を構成しつつ、第１及び第２角領域３１３、３１５に向かって伸長された第１及び第２角側伸長部３５３、３５５と、第２発光モジュール３６０の一部分を構成しつつ、第３及び第４角領域３１４、３１６に向かって伸長された第３及び第４角側伸長部３６４、３６６を備えることで、支持部材３１０の４角領域３１３、３１４、３１５、３１６で暗部領域が現れる現象を防止する。
【００５５】
次に、図６と類似する図として、本発明の第４実施形態に係る発光装置の平面図を示す図８について説明する。
【００５６】
図８を参照すると、上述の第３実施形態に係る発光装置３００と類似するように、本発明の第４実施形態に係る発光装置４００は支持部材４１０及び発光ユニット４２０を含む。
【００５７】
支持部材４１０は、図７に示す支持部材３１０と同一である。一方、発光ユニット４２０は、第１発光モジュール４５０と第２発光モジュール４６０との間に第３発光モジュール４７０だけでなく、第４発光モジュール４８０を更に含むということで、上述の図７の発光ユニット３２０と区別される。第３発光モジュール４７０と同様に、第４発光モジュール４８０は、光源支持部４１１の長手方向に沿って配列され、如何なる角側伸長部を備えていない。
【００５８】
図７の発光装置３００と同様に、発光装置４００は第１発光モジュール４５０の一部分を構成しつつ、第１及び第２角領域４１３、４１５に向かって伸長された第１及び第２角側伸長部４５３、４５５と、第２発光モジュール４６０の一部分を構成しつつ、第３及び第４角領域４１４、４１６に向かって伸長された第３及び第４角側伸長部４６４、４６６を備えることで、支持部材４１０の４角領域４１３、４１４、４１５、４１６で暗部領域が現れることを防止する。
【００５９】
以上で説明した発光装置１００、２００、３００、４００は、照明装置、広告用看板、ディスプレイ装置のような各種電子機器に適用されてよい。代表的な例として、第１実施形態に係る発光装置１００が適用された液晶ディスプレイ１の概略の分解斜視図を示す図９について説明する。
【００６０】
図９を参照すると、液晶ディスプレイ１は、発光装置１００、カバー部材１０、液晶パネル２０及び反射シート３０を含む。
【００６１】
上述のように、発光装置１００は、支持部材１１０及び発光ユニット１２０を含む。ディスプレイ分野でこのような支持部材１１０は、一般にボトムシャーシと呼ばれる。発光ユニット１２０には、支持部材１１０の４つの角領域１１３、１１４、１１５、１１６で暗部領域が現れることを防止するための４つの角側伸長部１２３、１２４、１２５、１２６が具備されている。
【００６２】
カバー部材１０は、支持部材１１０と結合されることで、液晶パネル２０等の内部部品を１つの装置にパッケージングする。カバー部材１０には、液晶パネル２０が表示する映像を外に出力するための長方形の開口１１が形成されている。ディスプレイ分野で、このようなカバー部材１０は一般にトップシャーシと呼ばれる。
【００６３】
液晶パネル２０は、支持部材１１０とカバー部材１０との間に配置され、発光装置１００が直下方式で提供する光を用いて映像を表示する。このような液晶パネル２０は、既に公知となっているため、詳細な説明は省略する。
【００６４】
反射シート３０は、発光ユニット１２０の光効率を向上するため、支持部材１１０の内側面に付着される。反射シート３０は、支持部材１１０に装着された発光ユニット１２０を覆うように配置されるが、発光ユニット１２０の光源パッケージ１４０は、反射シート３０に形成された複数の露出孔３１を通じて露出される。
【００６５】
図９の液晶ディスプレイ１の場合、支持部材１１０の角領域１２３、１２４、１２５、１２６で暗部領域が現れる現象を発光ユニット１２０に備えられた４つに角側伸長部１２３、１２４、１２５、１２６を通じて防止することができ、よって、そのような暗部領域によって液晶ディスプレイ１が提供する映像の品質が低下することを防止することができる。
【００６６】
図１０は、本発明の第５実施形態に係る発光装置の斜視図であり、図１１は、ＩＩ−ＩＩ線に沿った図１０の断面図である。
【００６７】
図１０及び図１１を参照すると、本発明の第５実施形態に係る発光装置５００は、支持部材５１０及び発光ユニット５２０を含む。
【００６８】
支持部材５１０は、深さが浅く上側が開放されたボックス状を有する。具体的に、支持部材５１０は、曲面板（ｃｕｒｖｅｄ  ｐｌａｔｅ）状を有し、凹状に形成された光源支持部５１１とその光源支持部５１１の周縁から垂直に伸長された側壁部５１２で構成される。ここで、光源支持部５１１は、その一側面５１１ａに装着された発光ユニット５２０を支持し、側壁部５１２は発光装置５００の内部空間を形成する。
【００６９】
発光ユニット５２０は、３つの発光モジュール５５０、５６０、５７０で構成される。代案としての実施形態で、発光ユニット５２０を構成する発光モジュールの数は、１つ、３つ、４つ等多様に選択されてよい。第１発光モジュール５５０、第２発光モジュール５６０及び第３発光モジュール５７０は、互いに同一の構造を有する。
【００７０】
３つの発光モジュール５５０、５６０、５７０のうち、第１発光モジュール５５０を代表的に見てみると、発光モジュール５５０は、帯状の印刷回路ボード（ＰＣＢ）５３０、及び印刷回路ボード５３０上に装着され、光を生成する複数の光源パッケージ５４０を含む。印刷回路ボード５３０は、複数の光源パッケージ５４０を支持し、その光源パッケージ５４０で電力源（図示せず）から供給される電力を伝達する。光源パッケージ５４０は、上述の発光装置１００の光源パッケージ１４０（図１ないし３を参照）と同様であるため、それについての説明は省略する。
【００７１】
図１１を参照すると、支持部材５１０の光源支持部５１１は、曲面板状を有することで、支持部材５１０の長手方向（図１１ではＸ方向）に沿って不均一の深さを示す。図１１において、「Ｒ」は支持部材５１０上に配置された水平の仮想の基準面を示し、「ｄ」はその基準面（Ｒ）から光源支持部５１１の任意の地点までの深さを示す。図１１から、支持部材５１０の長手方向（Ｘ方向）で、その深さ（ｄ）は光源支持部５１１の内側になるにつれ、次第に深くなることが分かる。よって、光源支持部５１１は、その中央領域（Ｍ）で最大の深さ（ｄｍａｘ）を有することが分かる。
【００７２】
本実施形態と違い、光源支持部５１１の深さ（ｄ）が均一の場合、側壁部５１２から遠く離れた光源支持部５１１の中央領域（Ｍ）上では、光のリサイクリング（ｒｅｃｙｃｌｉｎｇ）または混合（ｍｉｘｉｎｇ）が相対的に起こりにくく、相対的に光均一度が低下することができ、そのような均一度の低下は中央領域（Ｍ）上におけるムラ（ｍｕｒａ）を引き起こす可能性がある。
【００７３】
しかし、本実施形態の場合には、支持部材５１０が光源支持部５１１の中央領域（Ｍ）で最大の深さを有するように設計されることで、その中央領域（Ｍ）上で光の混合が増大されるおそれがあって、それにより、中央領域（Ｍ）上で光均一度が改善されることで、光均一度の低下時に発生し得るムラの発生を防止することができる。
【００７４】
本発明の第６実施形態に係る発光装置の斜視図を示す図１２を参照すると、第６実施形態に係る発光装置６００は、光源支持部６１１と側壁部６１２とで構成された支持部材６１０を含む。
【００７５】
光源支持部６１１は、１つの折曲線（Ｌ）によって第１支持部６１１Ａ及び第２支持部６１１Ｂで折曲した平板状を有する。第１及び第２支持部６１１Ａ、６１１Ｂは、折曲線（Ｌ）を境界に相互に対して鈍角に配置される。第１支持部６１１Ａに装着された３つの発光モジュール６５０Ａ、６６０Ａ、６７０Ａと、第２支持部６１１Ｂに装着された３つの発光モジュール６５０Ｂ、６６０Ｂ、６７０Ｂが発光ユニットを構成する。
【００７６】
光源支持部６１１がこのように折曲した形状を有することで、光源支持部６１１は不均一の深さを有し、その中央領域（Ｍ）で最大の深さを有するようになる。そうすることで、上述の発光装置５００と同様に、第６実施形態に係る発光装置６００の場合にも、中央領域（Ｍ）上における光均一度が改善された結果、中央領域（Ｍ）上でムラが現れることが防止される。
【００７７】
本発明の第７実施形態に係る発光装置の斜視図を示す図１３を参照すると、第７実施形態に係る発光装置７００も光源支持部７１１と側壁部７１２とで構成された支持部材７１０を含む。
【００７８】
光源支持部７１１は、２つの折曲線（Ｌ１、Ｌ２）によって、第１支持部７１１Ａ、第２支持部７１１Ｂ及び第３支持部７１１Ｃで折曲した平板状を有する。第１及び第２支持部７１１Ａ，７１１Ｂは、第１折曲線（Ｌ１）を境界に相互に対して鈍角に配置され、第２及び第３支持部７１１Ｂ、７１１Ｃは、第１折曲線（Ｌ１）を境界に相互に対して鈍角に配置され、第２及び第３支持部７１１Ｂ、７１１Ｃは、第２折曲線（Ｌ２）を境界に相互に対して鈍角に配置される。第１支持部７１１Ａに装着された４つの発光モジュール７５０Ａ、７６０Ａ、７７０Ａ、７８０Ａ、第２支持部７１１Ｂに装着された４つの発光モジュール７５０Ｂ、７６０Ｂ、７７０Ｂ、７８０Ｂ及び第３支持部７１１Ｃに装着された４つの発光モジュール７５０Ｃ、７６０Ｃ、７７０Ｃ、７８０Ｃが発光ユニットを構成する。
【００７９】
光源支持部７１１がこのように折曲した形状を有することで、光源支持部７１１は不均一の深さを有し、その中央領域（Ｍ）で最大の深さを有するようになる。そうすることで、上述の発光装置５００と同様に、第７実施形態に係る発光装置７００の場合にも、中央領域（Ｍ）上における光均一度が改善された結果、中央領域（Ｍ）上でムラが現れることが防止される。
【００８０】
以上のように説明した発光装置５００、６００、７００は、照明装置、広告用看板、ディスプレイ装置のような各種電子機器に適用されてよい。代表的な例として、第５実施形態に係る発光装置５００が適用された液晶ディスプレイ２の概略の分解斜視図を示す図１４について説明する。
【００８１】
図１４を参照すると、液晶ディスプレイ２は、発光装置５００、カバー部材４０、液晶パネル５０及び反射シート６０を含む。
【００８２】
上述したように、発光装置５００は支持部材５１０及び発光ユニット５２０を含む。支持部材５１０の光源支持部５１１は曲面板状に製作されることで、その中央領域（Ｍ）（図１１を参照）で最大の深さを有する。
【００８３】
カバー部材４０、液晶パネル５０及び反射シート６０は、上述の図９のカバー部材４０、液晶パネル２０及び反射シート３０とそれぞれ類似する。ただ、カバー部材４０、液晶パネル５０及び反射シート６０は、それぞれ支持部材５１０の光源支持部５１１の形状に対応するように曲がって曲率を有する形状になっている。ここで、液晶ディスプレイ２は、一種の曲面ディスプレイに該当することが分かる。未説明の符号６１は、パッケージ５４０の露出のための複数の露出孔を指す。
【００８４】
図１４に示す液晶ディスプレイ２の場合、支持部材５１０の中央領域（Ｍ）で最大の深さを有することで、その中央領域（Ｍ）上でムラが現れることが防止でき、それにより、液晶ディスプレイ２が提供する映像の品質が低下することが防止できる。
【００８５】
本発明の第８実施形態に係る発光装置の斜視図を示す図１５を参照すると、発光装置８００は、支持部材８１０及び発光ユニット８２０を含む。
【００８６】
支持部材８１０は、光源支持部８１１と側壁部８１２とで構成される。上述の図１０の支持部材５１０と同様に、支持部材８１０の光源支持部８１１は、その中央領域（Ｍ）で最大の深さを有する曲面板状を有する。よって、本実施形態の発光装置８００の場合にも、光源支持部８１１の中央領域（Ｍ）上でムラが現れることが防止できる。
【００８７】
上述の図７の発光ユニット３２０と同様に、発光ユニット８２０は３つの発光モジュール８５０、８６０．８７０で構成される。第１発光モジュール８５０は、光源支持部８１１の２角領域８１３、８１５に向かって伸長された２つの角側伸長部８５３、８５５を含んでおり、第２発光モジュール８６０は光源支持部８１１の他の２角領域８１４、８１６に向かって伸長された他の２つの角領域伸長部８６４、８６６を含んでいる。このように、発光ユニット８２０に計４つの角側伸長部８５３、８５５、８６４、８６６が具備されることで、光源支持部８１１の４つの角領域８１３、８１５、８１４、８１６で暗部領域が現れることを防止することができる。
【００８８】
このように、第８実施形態に係る発光装置８００によると、支持部材８１０の中央領域（Ｍ）上でムラが現れることと、支持部材８１０の角領域８１３、８１５、８１４、８１６で暗部領域が現れることが防止される結果、発光装置８００の光均一度が改善される。
【００８９】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００９０】
１０、４０  カバー部材
１１  長方形の開口
２０、５０  液晶パネル
３０、６０  反射シート
３１  露出孔
１００、２００、３００、４００、５００、６００、７００、８００  発光装置
１１０、２１０、３１０、４１０、５１０、６１０、７１０、８１０  支持部材
１１１、２１１、３１１、４１１、５１１、６１１、７１１、８１１  光源支持部
１１１ａ、５１１ａ  一側面
１１２、５１２、６１２、７１２、８１２  側壁部
１１３、２１３、３１３、４１３、８１３  第１角領域
１１４、２１５、３１５、４１５、８１５  第２角領域
１１５、２１４、３１４、４１４、８１４  第３角領域
１１６、２１６、３１６、４１６、８１６  第４角領域
１２０、２２０、３２０、４２０、５２０、８２０  発光ユニット
１２１  胴体部
１２１ａ  胴体部の一端
１２１ｂ  胴体部の他端
１２３、２５３、３５３、４５３、８５３  第１角側伸長部
１２４，２５５、３５５、４５５、８５５  第２角側伸長部
１２５、２６４、３６４、４６４、８６４  第３角側伸長部
１２６、２６６、３６６、４６６、８６６  第４角側伸長部
１３０、５３０  印刷回路ボード
１４０、５４０  光源パッケージ
１４１  発光ダイオード
１４２  蛍光体
１４２ａ  凸面レンズの形の外表面
１４３、１４４  一対の電極
１４５  フレーム
２５０、３５０、４５０、５５０、８５０  第１発光モジュール
２５１、３５１  第１胴体部
２５１ａ  第１胴体部の一端
２５１ｂ  第１胴体部の他端
２６０、３６０、４６０、５６０、８６０  第２発光モジュール
２６１、３６１  第２胴体部
２６１ａ  第２胴体部の一端
２６１ｂ  第２胴体部の他端
３７０，４７０、５７０、８７０  第３発光モジュール
４８０  第４発光モジュール
６１１Ａ、７１１Ａ  第１支持部
６１１Ｂ、７１１Ｂ  第２支持部
７１１Ｃ  第３支持部
【図１】
2014236218.tif 000003
【図２】
2014236218.tif 000004
【図３】
2014236218.tif 000005
【図６】
2014236218.tif 000006
【図７】
2014236218.tif 000007
【図８】
2014236218.tif 000008
【図９】
2014236218.tif 000009
【図１０】
2014236218.tif 000010
【図１１】
2014236218.tif 000011
【図１２】
2014236218.tif 000012
【図１３】
2014236218.tif 000013
【図１４】
2014236218.tif 000014
【図１５】
2014236218.tif 000015
【図４】
2014236218.tif 000016
【図５】
2014236218.tif 000017